(57)【要約】【課題】キーの照明の明るさの均一化を図る。【解決手段】本発明の情報処理装置は、透光性を有するキーを備える入力部と、表示面の一部が前記入力部の背面に延在する表示部と、前記表示部に、前記表示面上の前記キーに対応する領域以外の領域に、ユーザからの要求に応じた処理結果を示す画像を表示させ、前記表示面上の前記キーに対応する領域に、前記キーを照明するための照明用画像を表示させる制御部と、を有する。【選択図】図１
2013239820.tif 000002
【特許請求の範囲】
【請求項１】
情報処理装置であって、
透光性を有するキーを備える入力部と、
表示面の一部が前記入力部の背面に延在する表示部と、
前記表示部に、前記表示面上の前記キーに対応する領域以外の領域に、ユーザからの要求に応じた処理結果を示す画像を表示させ、前記表示面上の前記キーに対応する領域に、前記キーを照明するための照明用画像を表示させる制御部と、を有することを特徴とする情報処理装置。
【請求項２】
請求項１記載の情報処理装置において、
前記制御部は、前記キーの照明を要求する旨が入力されると、前記キーに対応する前記表示面上の領域に前記照明用画像を表示させることを特徴とする情報処理装置。
【請求項３】
請求項１記載の情報処理装置において、
前記キーには前記情報処理装置の動作状態に応じた処理が割り当てられ、
前記制御部は、前記情報処理装置の動作状態に応じて、該動作状態において前記キーに処理が割り当てられている場合には、前記キーに対応する前記表示面上の領域に前記照明用画像を表示させることを特徴とする情報処理装置。
【請求項４】
請求項１から３のいずれか１項に記載の情報処理装置において、
前記表示面に重ね合わせて配置され、接触面への入力手段の接触または近接を検出する検出部を備え、
前記キーは、前記接触面上に形成されていることを特徴とする情報処理装置。
【請求項５】
透光性を有するキーが形成された入力部と、表示面の一部が前記入力部の背面に延在する表示部と、を有する情報処理装置の制御方法であって、
前記表示部に、前記表示面上の前記キーに対応する領域以外の領域に、ユーザからの要求に応じた処理結果を示す画像を表示させ、前記表示面上の前記キーに対応する領域に、前記キーを照明するための照明用画像を表示させることを特徴とする情報処理装置の制御方法。
【請求項６】
請求項５記載の情報処理装置の制御方法において、
前記キーの照明を要求する旨が入力されると、前記キーに対応する前記表示面上の領域に前記照明用画像を表示させることを特徴とする情報処理装置の制御方法。
【請求項７】
請求項５記載の情報処理装置の制御方法において、
前記キーに前記情報処理装置の動作状態に応じた処理を割り当て、
前記情報処理装置の動作状態に応じて、該動作状態において前記キーに処理が割り当てられている場合には、前記キーに対応する前記表示面上の領域に前記照明用画像を表示させることを特徴とする情報処理装置の制御方法。
【請求項８】
透光性を有するキーが形成された入力部と、表示面の一部が前記入力部の背面に延在する表示部と、を有する情報処理装置内のコンピュータに、
前記表示部に、前記表示面上の前記キーに対応する領域以外の領域に、ユーザからの要求に応じた処理結果を示す画像を表示させ、前記表示面上の前記キーに対応する領域に、前記キーを照明するための照明用画像を表示させる処理を実行させるプログラム。
【発明の詳細な説明】
【技術分野】
【０００１】
本発明は、操作キーを介して操作入力が行われる情報処理装置、情報処理装置の制御方法およびプログラムに関する。
【背景技術】
【０００２】
携帯電話、スマートフォン、携帯型ゲーム機、パーソナルコンピュータなどの情報処理装置には、操作キー（以下、キーと称する）を介して操作入力が行われるものがある。
【０００３】
特許文献１（特開２０１１−１７１９５２号公報）には、透光性を有するキーを複数備える情報処理装置において、各キーの背面にバックライトおよび反射板を設け、バックライトから出力された光を反射板で反射して各キーを照明する技術が開示されている。この技術によれば、暗い環境下でもキーを介した操作入力が可能となる。
【先行技術文献】
【特許文献】
【０００４】
【特許文献１】特開２０１１−１７１９５２号公報
【発明の概要】
【発明が解決しようとする課題】
【０００５】
特許文献１に開示の技術においては、バックライトから出力された光を反射板で反射してキーを照明しているため、キー全体を均一に照明することが難しいという問題がある。また、キーの背面にバックライトおよび反射板を設けているため、部品点数の増加を招くという問題がある。
【０００６】
本発明の目的は、部品点数の増加を抑制し、かつ、キーを照明する明るさの均一化を図ることができる情報処理装置、情報処理装置の制御方法およびプログラムを提供することにある。
【課題を解決するための手段】
【０００７】
上記目的を達成するために本発明の情報処理装置は、
透光性を有するキーを備える入力部と、
表示面の一部が前記入力部の背面に延在する表示部と、
前記表示部に、前記表示面上の前記キーに対応する領域以外の領域に、ユーザからの要求に応じた処理結果を示す画像を表示させ、前記表示面上の前記キーに対応する領域に、前記キーを照明するための照明用画像を表示させる制御部と、を有する。
【０００８】
上記目的を達成するために本発明の情報処理装置の制御方法は、
透光性を有するキーが形成された入力部と、表示面の一部が前記入力部の背面に延在する表示部と、を有する情報処理装置の制御方法であって、
前記表示部に、前記表示面上の前記キーに対応する領域以外の領域に、ユーザからの要求に応じた処理結果を示す画像を表示させ、前記表示面上の前記キーに対応する領域に、前記キーを照明するための照明用画像を表示させる。
【０００９】
上記目的を達成するために本発明のプログラムは、
透光性を有するキーが形成された入力部と、表示面の一部が前記入力部の背面に延在する表示部と、を有する情報処理装置内のコンピュータに、
前記表示部に、前記表示面上の前記キーに対応する領域以外の領域に、ユーザからの要求に応じた処理結果を示す画像を表示させ、前記表示面上の前記キーに対応する領域に、前記キーを照明するための照明用画像を表示させる処理を実行させる。
【発明の効果】
【００１０】
本発明によれば、部品点数の増加を抑制し、かつ、キーを照明する明るさの均一化を図ることができる。
【図面の簡単な説明】
【００１１】
【図１】本発明の第１の実施形態の情報処理装置の要部構成を示すブロック図である。
【図２】図１に示す情報処理装置の正面図である。
【図３】図１に示すＡ−Ａ’線に沿った断面図である。
【図４】本発明の第２の実施形態の情報処理装置の要部構成を示すブロック図である。
【図５】図４に示す情報処理装置の正面図である。
【図６】図５に示すＢ−Ｂ’線に沿った断面図である。
【図７】関連する情報処理装置の断面図である。
【図８】図４に示す制御部の動作を示すフローチャートである。
【発明を実施するための形態】
【００１２】
以下に、本発明を実施するための形態について図面を参照して説明する。
【００１３】
（第１の実施形態）
図１は、本発明の第１の実施形態の情報処理装置１０の要部構成を示すブロック図である。なお、本発明に係る情報処理装置の具体例としては、携帯電話、スマートフォン、携帯型ゲーム機、パーソナルコンピュータ、ＰＤＡ（Personal Digital Assistant）などがある。
【００１４】
情報処理装置１０は、入力部１１と、表示部１２と、制御部１３と、を有する。
【００１５】
入力部１１は、透光性を有する材質で構成された１または複数のキーを有する。キーが押下されると、入力部１１は、押下されたキーに応じた信号を制御部１３に出力する。
【００１６】
表示部１２は、制御部１３の制御に従い、ユーザからの要求に応じた処理結果を示す画像などを表示する。表示部１２の具体例としては、ＬＣＤ（Liquid Crystal Display）、ＰＤＰ（Plasma Display Panel）、ＬＥＤ（Light Emitting Diode）ディスプレイ、有機ＥＬ（Electro Luminescence）ディスプレイ、蛍光表示管（ＶＦＤ：Vacuum Fluorescent Display）などがある。
【００１７】
制御部１３は、入力部１１から出力される信号に応じて、情報処理装置１０全体の動作を制御する。具体的には、制御部１３は、例えば、表示部１２の表示を制御する。
【００１８】
なお、図１においては、情報処理装置１０が備える種々の機能を実現するための処理ブロックについては記載を省略している。
【００１９】
図２は、情報処理装置１０の正面図である。
【００２０】
図２に示すように、情報処理装置１０はその外観において、表示領域１５と、複数のキー１４が形成された入力部１１と、を有する。
【００２１】
表示領域１５には、ユーザからの要求に応じて情報処理装置１０内で処理が行われた結果を示す画像が表示される。
【００２２】
図３は、図２に示すＡ−Ａ’線に沿った断面図である。
【００２３】
図３に示すように、キー１４の背面まで表示部１２の表示面が延在している。なお、キー１４の背面以外の表示部１２の表示面上には、表示面の保護などのために、強化ガラス、アクリルなどで構成されるウインドウ（不図示）が形成されている。ウインドウは、表示領域１５に対応する領域については、透明となるように加工されている。そのため、表示領域１５においては、表示部１２の表示をユーザが視認することができる。
【００２４】
制御部１３は、表示部１２に、図３に示すように、表示面上のキー１４に対応する領域１６に、輝度が略均一な白画像などを、キー１４を照明するための照明用画像として表示させる。領域１６に照明用画像が表示されることで、キー１４が照明される。上述したように、キー１４は透光性を有しているので、キー１４を照明する光が情報処理装置１０の外部に出力され、ユーザが知覚することができる。また、制御部１３は、表示部１２に、表示面上のキー１４に対応する領域１６以外の領域、本実施形態においては、表示面上の表示領域１５に対応する領域に、ユーザからの要求に応じた処理結果を示す画像を表示させる。
【００２５】
上述したように、バックライトから出力された光を反射板で反射する場合には、反射光の明るさにムラが生じ、キー全体を均一に照明することが難しかった。一方、白画像などを表示することで、表示部１２からは明るさが略均一な光が出力される。この光を用いてキーを照明することで、キー全体の照明の明るさの均一化を図ることができる。
【００２６】
このように本実施形態によれば、情報処理装置１０は、透光性を有するキーを備える入力部１１と、表示面が入力部１１の背面まで延在する表示部１２とを有し、キーに対応する表示面上の領域には、白画像などのキーを照明するための照明用画像を表示部１２に表示させる。
【００２７】
一般に、表示部１２が白画像などの照明用画像を表示する場合に表示部１２から出力される光は、明るさのムラが少ない。その光を用いてキーを照明することで、キー全体の照明の明るさの均一化を図ることができる。また、近年の情報処理装置の多くには、表示部が設けられている。その表示部をキーの照明にも利用することで、特許文献１に開示の技術のように、キー毎にバックライトなどを設ける必要がなくなり、部品点数の削減、装置構成の簡易化を図ることができる。
【００２８】
なお、上述したように、表示部１２としては、ＬＣＤ，ＰＤＰなど種々のディスプレイを用いることができる。ここで、ディスプレイの中には、ＬＣＤのようにバックライトから出力された光を変調素子を用いて変調することで映像を表示するものと、ＰＤＰのように自身が発光して映像を表示するものがある。
【００２９】
表示部１２として、バックライトから出力された光を変調して映像を表示するディスプレイを用いる場合には、バックライトから出力された光が変調素子を介してキー１４に照射されるように、バックライトおよび変調素子が配置される。制御部１３は、表示部１２の表示面の入力部１１の背面に位置する表示素子を制御することで、照明用画像が表示されるようにする。
【００３０】
また、表示素子１２として、自身が発光して映像を表示するディスプレイを用いる場合には、ディスプレイ自身からの発光がキー１４に照射されるように、ディスプレイが配置される。制御部１３は、表示部１２の表示面の入力部１１の背面に位置する領域における発光を制御することで、照明用画像が表示されるようにする。
【００３１】
（第２の実施形態）
図４は、本発明の第２の実施形態の情報処理装置２０の要部構成を示すブロック図である。図４において、図１と同様の構成については同じ符号を付し、説明を省略する。
【００３２】
本実施形態の情報処理装置２０は、第１の実施形態の情報処理装置１０と比較して、検出部２１を追加した点と、制御部１３を制御部２２に変更した点と、が異なる。なお、図４においては、入力部については記載を省略している。
【００３３】
検出部２１は、表示部１２の表示面に重ね合わせて配置され、指、スタイラスペンなどの入力手段の接触または近接を検出し、入力手段が接触または近接した位置の座標などを示す信号を制御部２２に出力する。検出部２１の具体例としては、タッチパッド、タッチセンサなどがある。検出部２１と表示部１２とは、タッチパネル２３を構成する。
【００３４】
制御部２２は、情報処理装置２０全体の動作を制御する。具体的には、制御部２２は、例えば、表示部１２の表示を制御する。
【００３５】
なお、図４においては、情報処理装置２０が備える種々の機能を実現するための処理ブロックについては記載を省略している。
【００３６】
図５は、情報処理装置２０の正面図である。図５において、図２と同様の構成については同じ符号を付し、説明を省略する。
【００３７】
図５に示すように、情報処理装置２０は、その外観において、表示領域１５と、複数のキー２４が形成された入力部２５と、を有する。
【００３８】
図６は、図５に示すＢ−Ｂ’線に沿った断面図である。なお、図６においては、表示部１２の表示面上に形成されたウインドウ２６についても記載している。
【００３９】
ウインドウ２６は、表示領域１５に対応する領域については、透明となるように加工されている。そのため、表示領域１５においては、表示部１２の表示をユーザが視認することができる。また、ウインドウ２６には、キー２４として、例えば、アイコンなどが、半透明に透光性を有するようにして印刷されている。
【００４０】
検出部２１は、接触面であるウインドウ２６への入力手段の接触または近接を検出し、入力手段が接触または近接した座標などを示す信号を制御部２２に出力する。
【００４１】
制御部２２は、表示領域１５に、操作内容を示す操作ボタンなどが含まれた操作画像を表示部１５に表示させる。表示領域１５に表示された操作画像に応じて、ユーザが入力手段を運移動２６に接触または近接させると、検出部２１は、入力手段が接触または近接した座標などを示す信号を制御部２２に出力する。制御部２２は、検出部２１から出力された信号に示される座標上に操作ボタンが表示されている場合には、その操作ボタンに示される操作内容に応じた処理を行う。
【００４２】
また、制御部２２は、情報処理装置２０の動作状態に応じて、予めキー２４に処理を割り当てておき、検出部２１から出力された信号に示される座標が、キー２４が形成された領域内に含まれる場合には、そのキー２４に割り当てられた処理を行う。
【００４３】
このように、表示部１２と検出部２１とをタッチパネルとして動作させることで、表示領域１５あるいはキー２４が印刷された領域に入力手段を接触または近接させることで操作入力が可能となる。
【００４４】
本実施形態においても、図６に示すように、キー２４の背面まで表示部１２の表示面が延在している。キー２４は、表示部１２から出力される光を用いて照明される。
【００４５】
ここで、比較のために、特許文献１に開示されるような、バックライトから出力された光を反射してキーを表示する情報処理装置３０の断面図を図７に示す。図７において、図６と同様の構成については同じ符号を付し、説明を省略する。
【００４６】
図７に示す情報処理装置３０は、フレキシブルプリント基板（ＦＰＣ：Flexible printed circuits）３１と、バックライト３２と、反射板３３と、導光板３４と、を有する。
【００４７】
バックライト３２は、ＬＥＤなどであり、ＦＰＣ３１を介して給電され、光を出力する。
【００４８】
反射板３３は、バックライトから出力された光をキー２４に向かって反射する。
【００４９】
導光板３４は、反射板３３が反射した光を均一化し、キー２４に向かって出力する。
【００５０】
情報処理装置３０においては、バックライト３２から出力された光が反射板３３および導光板３４を介して拡散され、キー２４を照明する。ここで、反射板３３および導光板３４を介して拡散された光には明るさのムラが生じることがある。そのため、キー全体が均一に照明されないことがある。
【００５１】
一方、本実施形態においては、制御部２２は、表示部１２に、図６に示される、キー２４に対応する表示部１２の表示面上の領域２７に、輝度が略均一な白画像などを照明用画像として表示させる。領域２７に照明用画像が表示されることで、キー２４が照明される。キー２４は透光性を有しているので、キー２４を照明する光が情報処理装置２０の外部に出力され、ユーザが知覚することができる。
【００５２】
白画像などを表示することで、表示部１２からは明るさが略均一な光が出力される。この光を用いてキーを照明することで、キー全体の照明の明るさの均一化を図ることができる。
【００５３】
次に、本実施形態の制御部２２の動作について説明する。
【００５４】
図８は、キー２４の照明を制御する際の動作を示すフローチャートである。
【００５５】
制御部２２は、処理を開始すると、キー２４に対応する表示部１２の表示面上の領域の表示を黒表示とする（ステップＳ８１）。キー２４に対応する表示部１２の表示面上の領域の表示を黒表示とすることで、キー２４の照明はオフとなる。
【００５６】
次に、制御部２２は、キー２４の照明をオンにする旨の要求が入力されたか否かを判定する（ステップＳ８２）。
【００５７】
キー２４の照明をオンにする旨の要求が入力されていない場合には（ステップＳ８２：Ｎｏ）、制御部２２は、ステップＳ８１の処理に戻る。
【００５８】
キー２４の照明をオンにする旨の要求が入力された場合には（ステップＳ８２：Ｙｅｓ）、制御部２２は、キー２４に対応する表示部１２の表示面上の領域の表示を白表示とする（ステップＳ８３）。すなわち、制御部２２は、キー２４に対応する表示部１２の表示面上の領域には、照明用画像として白画像を表示部１２に表示させる。
【００５９】
次に、制御部２２は、キー２４の照明をオフにする旨の要求が入力されたか否かを判定する（ステップＳ８４）。
【００６０】
キー２４の照明をオフにする旨の要求が入力されていない場合には（ステップＳ８４：Ｎｏ）、制御部２２は、ステップＳ８３の処理に戻る。
【００６１】
キー２４の照明をオフにする旨の要求が入力された場合には（ステップＳ８４：Ｙｅｓ）、制御部２２は、ステップＳ８１の処理に戻る。
【００６２】
このように、制御部２２は、キー２４の照明をオンにするか、オフにするかの要求が入力されると、その要求に応じて、表示部１２の表示を制御し、キー２４の照明をオンまたはオフとする。
【００６３】
なお、情報処理装置２０においては、動作状態に応じて、１つのキー２４に対して、異なる処理が割り当てられることがある。以下では、このようなキーをソフトキーと称する。また、以下では、ある動作状態において、処理が割り当てられているソフトキーを有効なソフトキーと称し、その動作状態において、処理が割り当てられていないソフトキーを無効なソフトキーと称する。
【００６４】
図５に示すように、情報処理装置２０が複数のソフトキーを備える場合、動作状態によっては、複数のソフトキーのうち、一部のソフトキーだけが有効なソフトキーとなることがある。このような場合に、どのソフトキーが有効なソフトキーであるかが分かりにくいという問題がある。
【００６５】
そこで、本実施形態の制御部２２は、情報処理装置２０の動作状態に応じて、ソフトキーの照明のオン、オフを制御するようにしてもよい。
【００６６】
具体的には、制御部２２は、予め、情報処理装置２０の動作状態ごとに、各ソフトキーへの処理の割り当て状況を記憶しており、情報処理装置２０の動作状態が変化すると、その動作状態において処理が割り当てられているソフトキーを有効なソフトキーとして特定し、その動作状態において処理が割り当てられていないソフトキーを無効なソフトキーとして特定する。さらに、制御部２２は、有効なソフトキーとして特定したソフトキーに対応する表示面上の領域を白表示とし、無効なソフトキーとして特定したソフトキーに対応する表示面上の領域を黒表示とする。こうすることで、情報処理装置２０の動作状態に応じて、各動作状態において有効なソフトキーのみが照明されるので、どのソフトキーが有効であるかが分かりやすくなる。
【００６７】
なお、図８に示すユーザからの要求に応じたキーのオン、オフの制御方法、および、情報処理装置２０の動作状態に応じたキーのオン、オフの制御動作は、第１の実施形態の制御部１３に適用することも可能である。
【００６８】
このように本実施形態によれば、情報処理装置２０は、タッチパネルを備え、タッチパネルを介した操作入力に用いられるキーを、表示部１２から出力された光を用いて照明する。
【００６９】
そのため、第１の実施形態と同様に、キー全体の照明の明るさの均一化を図ることができる。
【００７０】
また、本実施形態によれば、情報処理装置２０は、ユーザからの要求に応じて、キー２４に対応する表示部１２の表示面の表示を白表示または黒表示とし、キーの照明のオン、オフを行う。そのため、暗い環境下などでも、ユーザからの要求に応じてキーの照明をオンにし、キーを介した操作入力が可能となる。
【００７１】
また、本実施形態によれば、情報処理装置２０は、動作状態に応じて、その動作状態において処理が割り当てられているキーに対応する表示面上の領域を白表示とし、そのキーを照明する。情報処理装置２０の動作状態に応じて、異なる処理が１つのキーに割り当てられることがある。情報処理装置２０の動作状態に応じて、処理が割り当てられているキーを照明することで、どのキーが有効なソフトキーであるかが分かり易くなる。
【００７２】
なお、本発明の情報処理装置にて行われる方法は、コンピュータに実行させるためのプログラムに適用してもよい。また、そのプログラムを記憶媒体に格納することも可能であり、ネットワークを介して外部に提供することも可能である。
【００７３】
上記の実施形態の一部または全部は、以下の付記のようにも記載されうるが、以下には限られない。
【００７４】
（付記１）
情報処理装置であって、
透光性を有するキーを備える入力部と、
表示面の一部が前記入力部の背面に延在する表示部と、
前記表示部に、前記表示面上の前記キーに対応する領域以外の領域に、ユーザからの要求に応じた処理結果を示す画像を表示させ、前記表示面上の前記キーに対応する領域に、前記キーを照明するための照明用画像を表示させる制御部と、を有することを特徴とする情報処理装置。
【００７５】
（付記２）
付記１記載の情報処理装置において、
前記制御部は、前記キーの照明を要求する旨が入力されると、前記キーに対応する前記表示面上の領域に前記照明用画像を表示させることを特徴とする情報処理装置。
【００７６】
（付記３）
付記１記載の情報処理装置において、
前記キーには前記情報処理装置の動作状態に応じた処理が割り当てられ、
前記制御部は、前記情報処理装置の動作状態に応じて、該動作状態において前記キーに処理が割り当てられている場合には、前記キーに対応する前記表示面上の領域に前記照明用画像を表示させることを特徴とする情報処理装置。
【００７７】
（付記４）
付記１から３のいずれか１つに記載の情報処理装置において、
前記表示面に重ね合わせて配置され、接触面への入力手段の接触または近接を検出する検出部を備え、
前記キーは、前記接触面上に形成されていることを特徴とする情報処理装置。
【００７８】
（付記５）
透光性を有するキーが形成された入力部と、表示面の一部が前記入力部の背面に延在する表示部と、を有する情報処理装置の制御方法であって、
前記表示部に、前記表示面上の前記キーに対応する領域以外の領域に、ユーザからの要求に応じた処理結果を示す画像を表示させ、前記表示面上の前記キーに対応する領域に、前記キーを照明するための照明用画像を表示させることを特徴とする情報処理装置の制御方法。
【００７９】
（付記６）
付記５記載の情報処理装置の制御方法において、
前記キーの照明を要求する旨が入力されると、前記キーに対応する前記表示面上の領域に前記照明用画像を表示させることを特徴とする情報処理装置の制御方法。
【００８０】
（付記７）
付記５記載の情報処理装置の制御方法において、
前記キーに前記情報処理装置の動作状態に応じた処理を割り当て、
前記情報処理装置の動作状態に応じて、該動作状態において前記キーに処理が割り当てられている場合には、前記キーに対応する前記表示面上の領域に前記照明用画像を表示させることを特徴とする情報処理装置の制御方法。
【００８１】
（付記８）
透光性を有するキーが形成された入力部と、表示面の一部が前記入力部の背面に延在する表示部と、を有する情報処理装置内のコンピュータに、
前記表示部に、前記表示面上の前記キーに対応する領域以外の領域に、ユーザからの要求に応じた処理結果を示す画像を表示させ、前記表示面上の前記キーに対応する領域に、前記キーを照明するための照明用画像を表示させる処理を実行させるプログラム。
【符号の説明】
【００８２】
１０，２０    情報処理装置
１１，２５    入力部
１２    表示部
１３，２２    制御部
１４，２４    キー
１５    表示領域
２１    検出部
２３    タッチパネル
【図１】
2013239820.tif 000003
【図２】
2013239820.tif 000004
【図３】
2013239820.tif 000005
【図４】
2013239820.tif 000006
【図５】
2013239820.tif 000007
【図６】
2013239820.tif 000008
【図７】
2013239820.tif 000009
【図８】
2013239820.tif 000010